(57)【特許請求の範囲】
【請求項１】
（イ）操作窓と換気口が形成された主壁を有する細長い本体と、
（ロ）上記主壁の背面側に配置されるとともに、細長い板形状をなし、その幅方向に対峙する両側縁の一方に軸部を有し、この軸部が上記本体に形成された軸受に挿入されることにより、長手方向スライド可能かつ揺動可能に支持された作動板と、
（ハ）上記操作窓に上記本体の長手方向に沿ってスライド可能に収容されるとともに上記作動板と連携し、上記作動板を上記第１，第２のスライド位置間でスライドさせる操作つまみと、
（ニ）上記作動板の他方の側縁と連携し、作動板の長手方向スライドの際に、カム作用によって作動板を揺動させ、第１のスライド位置で上記主壁から離れた開き状態にするとともに、第２のスライド位置で上記主壁に沿う閉じ状態にするカム機構と、
（ホ）上記本体の長手方向両端に取り付けられた第１，第２のキャップと、
を備えた換気装置において、
上記作動板の他方の側縁部またはこれと対峙する上記主壁の部位のいずれかに第１パッキンが取り付けられ、
上記作動板における当該他方の側縁部と軸部との間の部位またはこれと対峙する主壁の部位のいずれかに第２パッキンが取り付けられ、この第２パッキンと上記第１キャップとの間に上記換気口の形成領域が配置され、
上記第１キャップには、上記本体に向かって突出するとともに上記主壁の背面に接する舌片が設けられ、この舌片の作動板に対峙する面には、上記第１，第２パッキンと別部材をなす第３パッキンが取り付けられ、
上記作動板の閉じ状態において、作動板は上記第１，第２のパッキンを介して本体の主壁に当接し、上記第３パッキンを介して第１キャップの舌片に当接し、正面から見てこれら第１，第２，第３パッキンと作動板の軸部とで、上記換気口形成領域を囲むようにしたことを特徴とする換気装置。
【請求項２】
上記換気口は多数形成され、この換気口の形成領域が上記主壁の長手方向の端まで延びており、上記第１キャップの舌片が、この主壁に接した状態で、主壁の端縁近傍に形成された換気口を塞いでいることを特徴とする請求項１に記載の換気装置。
【請求項３】
（イ）操作窓と換気口が形成された主壁を有する細長い本体と、
（ロ）上記主壁の背面側に配置されるとともに、細長い板形状をなし、その幅方向に対峙する両側縁の一方に軸部を有し、この軸部が上記本体に形成された軸受に挿入されることにより、長手方向スライド可能かつ揺動可能に支持された作動板と、
（ハ）上記操作窓に上記本体の長手方向に沿ってスライド可能に収容されるとともに上記作動板と連携し、上記作動板を上記第１，第２のスライド位置間でスライドさせる操作つまみと、
（ニ）上記作動板の他方の側縁と連携し、作動板の長手方向スライドの際に、カム作用によって作動板を揺動させ、第１のスライド位置で上記主壁から離れた開き状態にするとともに、第２のスライド位置で上記主壁に沿う閉じ状態にするカム機構と、
（ホ）上記本体の長手方向両端に取り付けられた第１，第２のキャップと、
を備えた換気装置において、
上記換気口の形成領域が、操作窓の長手方向両側に配置されており、
上記作動板の他方の側縁部またはこれに対峙する主壁の部位に第１パッキンが取り付けられ、
上記第１，第２の両キャップには、上記本体に向かって突出するとともに主壁の背面に接する舌片が設けられ、これら舌片の作動板に対峙する面には、それぞれ上記第１パッキンと別部材をなす第２，第３パッキンが取り付けられ、
上記作動板の閉じ状態において、作動板は上記第１パッキンを介して本体の主壁に当接し、上記第２，第３のパッキンを介して第１，第２キャップの舌片に当接し、正面から見てこれら第１，第２，第３パッキンと軸部とで、上記換気口形成領域を囲むようにしたことを特徴とする換気装置。
【請求項４】
上記換気口は多数形成され、この換気口の形成領域が上記主壁の長手方向の端まで延びており、上記第１，第２キャップの舌片が、この主壁に接した状態で、主壁の端縁近傍に形成された換気口を塞いでいることを特徴とする請求項３に記載の換気装置。
【発明の詳細な説明】
【０００１】
【発明の属する技術分野】
本発明は、サッシ戸などに取り付けられ、操作つまみのスライド操作で換気口の開閉を行なえるようにした換気装置に関する。
【０００２】
【従来の技術】
従来から知られるサッシ戸取付け型の換気装置は、サッシ戸の上縁部または下縁部に設置されるよう細長い構造を有しており、この換気装置によってサッシ戸を閉めたままで室内の自然換気を行なえるようになっている。
【０００３】
一般的な換気装置は、室内に臨む前壁（主壁）に換気口と操作窓を形成してなるアルミ型材からなる本体と、前壁の裏側に配置され換気口を開閉する作動板と、前壁の操作窓に収容され本体の長手方向にスライド可能な操作つまみとを備えている。この操作つまみのスライドに伴い作動板による換気口の開閉動作が行なわれる。
【０００４】
上記換気装置は、寒冷地において、閉じ状態での高い気密性が要求される。その要求に答えるため、作動板を揺動するようにした換気装置が開発されている。詳述すると、この作動板は、その幅方向に対峙する両側縁の一方に軸部を有し、この軸部が上記本体に形成された軸受に挿入されることにより、長手方向スライド可能かつ揺動可能に支持されている。さらに本体にはカム部材が設けられていて作動板の他方の側縁に連携されている。上記作動板は、操作つまみにより長手方向にスライドされた時に、カム部材のカム作用により揺動される。これにより作動板は、第１のスライド位置で本体の前壁から離れた開き状態になり、第２のスライド位置で本体の前壁に沿う閉じ状態になる。
【０００５】
上記作動板には、軸部とは反対側の他方の側縁に沿って第１のパッキンが取り付けられており、この第１パッキンの両端と軸部との間には、第２パッキンと第３パッキンが取り付けられている。そして、作動板の閉じ状態において、これら第１，第２，第３パッキンが本体の前壁に当たり、正面から見て換気孔を囲むことにより、気密性を格段に高めている。
【０００６】
【発明が解決しようとする課題】
上記換気装置はサッシ戸のサイズに対応した長さにする必要があるが、近年サッシ戸のサイズが多様化しており、このサイズに対応して長さの異なる換気装置を製造していたのでは、製造コストが高くなり、また在庫も増加してしまう。そこで、換気装置の端部を現場で切断して、サッシ戸のサイズに合った長さにしているが、この切断の際には、本体のみならず作動板の一方の端部も切断されるため、上述のように、シール性を高めるためのパッキンのうち、第２，第３パッキンのいずれかが作動板から取り除かれることになり、気密性の悪化を招く。なお、切断の後、現場において換気装置を分解し、取り除かれたパッキンの代わりに作動板に新たにパッキンを取り付け、再度組み立てることが考えられるが、それでは現場作業者の負担が増大してしまう。
【０００７】
【課題を解決するための手段】
請求項１の発明は、（イ）操作窓と換気口が形成された主壁を有する細長い本体と、（ロ）上記主壁の背面側に配置されるとともに、細長い板形状をなし、その幅方向に対峙する両側縁の一方に軸部を有し、この軸部が上記本体に形成された軸受に挿入されることにより、長手方向スライド可能かつ揺動可能に支持された作動板と、（ハ）上記操作窓に上記本体の長手方向に沿ってスライド可能に収容されるとともに上記作動板と連携し、上記作動板を上記第１，第２のスライド位置間でスライドさせる操作つまみと、（ニ）上記作動板の他方の側縁と連携し、作動板の長手方向スライドの際に、カム作用によって作動板を揺動させ、第１のスライド位置で上記主壁から離れた開き状態にするとともに、第２のスライド位置で上記主壁に沿う閉じ状態にするカム機構と、（ホ）上記本体の長手方向両端に取り付けられた第１，第２のキャップと、を備えた換気装置において、上記作動板の他方の側縁部またはこれと対峙する上記主壁の部位のいずれかに第１パッキンが取り付けられ、上記作動板における当該他方の側縁部と軸部との間の部位またはこれと対峙する主壁の部位のいずれかに第２パッキンが取り付けられ、この第２パッキンと上記第１キャップとの間に上記換気口の形成領域が配置され、上記第１キャップには、上記本体に向かって突出するとともに上記主壁の背面に接する舌片が設けられ、この舌片の作動板に対峙する面には、上記第１，第２パッキンと別部材をなす第３パッキンが取り付けられ、上記作動板の閉じ状態において、作動板は上記第１，第２のパッキンを介して本体の主壁に当接し、上記第３パッキンを介して第１キャップの舌片に当接し、正面から見てこれら第１，第２，第３パッキンと作動板の軸部とで、上記換気口形成領域を囲むようにしたことを特徴とする請求項２の発明は、請求項１に記載の換気装置において、上記換気口は多数形成され、この換気口の形成領域が上記主壁の長手方向の端まで延びており、上記第１キャップの舌片が、この主壁に接した状態で、主壁の端縁近傍に形成された換気口を塞いでいることを特徴とする。
請求項２の発明は、請求項１に記載の換気装置において、上記換気口は多数形成され、この換気口の形成領域が上記主壁の長手方向の端まで延びており、上記第１キャップの舌片が、この主壁に接した状態で、主壁の端縁近傍に形成された換気口を塞いでいることを特徴とする。
【０００８】
請求項３の発明は、（イ）操作窓と換気口が形成された主壁を有する細長い本体と、（ロ）上記主壁の背面側に配置されるとともに、細長い板形状をなし、その幅方向に対峙する両側縁の一方に軸部を有し、この軸部が上記本体に形成された軸受に挿入されることにより、長手方向スライド可能かつ揺動可能に支持された作動板と、（ハ）上記操作窓に上記本体の長手方向に沿ってスライド可能に収容されるとともに上記作動板と連携し、上記作動板を上記第１，第２のスライド位置間でスライドさせる操作つまみと、（ニ）上記作動板の他方の側縁と連携し、作動板の長手方向スライドの際に、カム作用によって作動板を揺動させ、第１のスライド位置で上記主壁から離れた開き状態にするとともに、第２のスライド位置で上記主壁に沿う閉じ状態にするカム機構と、（ホ）上記本体の長手方向両端に取り付けられた第１，第２のキャップと、を備えた換気装置において、上記換気口の形成領域が、操作窓の長手方向両側に配置されており、上記作動板の他方の側縁部またはこれに対峙する主壁の部位に第１パッキンが取り付けられ、上記第１，第２の両キャップには、上記本体に向かって突出するとともに主壁の背面に接する舌片が設けられ、これら舌片の作動板に対峙する面には、それぞれ上記第１パッキンと別部材をなす第２，第３パッキンが取り付けられ、上記作動板の閉じ状態において、作動板は上記第１パッキンを介して本体の主壁に当接し、上記第２，第３のパッキンを介して第１，第２キャップの舌片に当接し、正面から見てこれら第１，第２，第３パッキンと軸部とで、上記換気口形成領域を囲むようにしたことを特徴とする。
請求項４の発明は、請求項３に記載の換気装置において、上記換気口は多数形成され、この換気口の形成領域が上記主壁の長手方向の端まで延びており、上記第１，第２キャップの舌片が、この主壁に接した状態で、主壁の端縁近傍に形成された換気口を塞いでいることを特徴とする。
【０００９】
【発明の実施の形態】
以下、本発明の第１実施形態に係わる換気装置を図１〜図４に基づき詳細に説明する。図４に最も良く示されているように、換気装置１は、サッシ戸の例えば上縁部に取り付けられるものである。図４には、サッシ戸の上縁部に相当する上框２のみ示し、サッシ戸の他の構成は図示しない。
【００１０】
換気装置１は、アルミ型材等の金属からなる細長い本体１０を備えている。本体１０は、図１，図２に示すように室内側に面する垂直平板形状の前壁１１（主壁）と、この前壁１１の下端部に設けられた支持部１２と、前壁１１の上端部に設けられた嵌込部１３とを備えている。支持部１２には、ガラス板の上縁がはめ込まれて支持されるようになっている。また嵌込部１３は、上記サッシ戸の上框２にはめ込まれるようになっている。
図４に示すように、前壁１１には正面から見て右側部に細長い操作窓１４が形成され、この操作窓１４の左側には、多数のスリット形状の換気口１５が形成されている。この換気口１５の形成領域は、前壁１１の左端にまで達している。
【００１１】
図１，図２に示すように、支持部１２と嵌込部１３との間には、本体１０の一部をなす背板１７が取り付けられている。この背板１７は、上記前壁１１と対峙しており、両者の間には、内部空間１８が形成されている。この背板１７には長手方向に等間隔をなして多数の換気口１９が形成されている。
【００１２】
図４に示すように、本体１０の両端（長手方向に対峙する両端）には、樹脂製のキャップ２０，３０が取り付けられている。図４のように正面から見て左側、すなわち図１（Ａ），図２（Ａ）のように背面から見て右側のキャップ２０は、嵌込部２１を有しており、この嵌込部２１を上記内部空間１８の端部に嵌め込むことにより、着脱可能に本体１０に取り付けられている。他方のキャップ３０も同様の嵌込部を有しており、本体１０の他方の端部に着脱可能に取り付けられている。これらキャップ２０，３０は、後述の作動板４０のストッパとしての機能も有している。
【００１３】
さらに上記換気装置１は、内部空間１８内に収容された作動板４０を備えている。この作動板４０は、アルミ型材等の金属からなり、本体１０の長手方向に細長い平板形状をなしている。
【００１４】
上記作動板４０は、上側縁（幅方向に対峙する両側縁の一方）に、長手方向に沿って延びる軸部４１を有しており、下側縁（他方の側縁）には、長手方向に離間して複数の突起４２（カムフォロア）を有している。
本体１０の前壁１１には、換気口１５の上方に位置して、軸受１６が形成されている。この軸受１６に上記軸部４１が挿入されることにより、作動板４０は、本体１０に揺動可能かつ長手方向にスライド可能に支持されている。
【００１５】
上記前壁１１と背板１７との間には、長手方向に離間した複数の支持部材５０が架け渡されて支持されている。これら支持部材５０は換気口１５の下方に位置しており、各支持部材５０には、カム部材６０（カム機構）が固定されている。図３に示すように、このカム部材６０の上面にはカム溝６１が形成されている。このカム溝６１は、前壁１１に対して傾斜する傾斜部６１ａと、この傾斜部６１ａの両端に形成され前壁１１と平行をなす平行部６１ｂ，６１ｃとを有している。このカム溝６１に、上記作動板４０の突起４２が挿入されて案内される。
【００１６】
換気装置は、さらに操作つまみ７０を備えている。この操作つまみ７０は、つまみ本体７１と、裏板７２とを有している。つまみ本体７１の前端部は、前壁１１の操作窓１４に、長手方向スライド可能に収容されており、前壁１１から若干突出している。つまみ本体７１は、作動板４０の正面から見て右側部に形成された嵌合孔（図示しない）に嵌合されることにより、この作動板４０と連携されており、これにより、操作つまみ７０の左右方向の操作に追随して、作動板４０がスライドするようになっている。
【００１７】
次に、本発明と特徴部について説明する。この特徴部は、作動板４０の閉じ状態において、気密性を高めるためのものである。図４に示すように、作動板４０には、前壁１１と対峙する面に第１パッキン８１と第２パッキン８２が取り付けられている。第１パッキン８１は、換気口１５の下方に配置されており、作動板４０の下側縁に沿って長く延びている。このパッキン８１の正面から見て左端は、作動板４０の左端と一致し、右端は換気口１５の形成領域と操作窓１４との間に位置している。第２パッキン８２は、この第１パッキン８１の右端から軸部４１の近傍まで垂直に延びている。なお、第１，第２パッキン８１，８２は図示のように若干の隙間を介して離れており、この隙間から結露水を排除することができるようになっているが、これらパッキン８１，８２は連なっていてもよい。
【００１８】
一方のキャップ２０には、舌片２５が形成されている。この舌片２５は、垂直平板形状をなし、本体１０の内部空間１８の端部に入り込んでいる。しかも、この舌片２５は、前壁１１の端部の背面に接しており、ここに位置する換気口１５を塞いでいる。この舌片２５の上下方向の幅は、作動板４０の軸部４１と第１パッキン８１との間の間隔とほぼ等しい（若干狭い）。この舌片２５の作動板４０に対峙する面には、第３パッキン８３が取り付けられている。この第３パッキン８３は舌片２５の上下方向の幅と等しい長さだけ垂直方向に延びている。
【００１９】
上記構成の換気装置において、上記操作つまみ７０を、つまみ本体７１が操作窓１４の右端に当たる位置（開き操作位置）まで、図４において右方向にスライドさせると、作動板４０が同方向にスライドする（第２スライド位置から第１スライド位置までスライドする）。この際、図３に示すように、作動板４０の突起４２は、カム部材６０のカム溝６１に案内され、平行部６１ｃから傾斜部６１ａを経て平行部６１ｂに至る。その結果、作動板４０が回動して、図１に示すように前壁１１から離れ、換気口１５を開く。その結果、室内の空気が、換気口１５，内部空間１８を経て換気される。
【００２０】
上記とは逆に、操作つまみ７０をつまみ本体７１が操作窓１４の左端に当たる位置（閉じ操作位置）まで、図４において左方向にスライドさせると、作動板４０が同方向にスライドする（第１スライド位置から第２スライド位置までスライドする）。この際、作動板４０の突起４２は、カム部材６０のカム溝６１に案内され、平行部６１ｂから傾斜部６１ａを経て平行部６１ｃに至る。その結果、作動板４０は回動して、図２に示すように前壁１１に沿った状態となり、前壁１１の換気口１５を閉じる。
【００２１】
上記作動板４０の閉じ状態において、作動板４０がカム部材６０によるカム作用を利用して前壁１１に近づくので、第１，第２のパッキン８１，８２は、前壁１１に弾性変形した状態で接し、第３のパッキン８３は、作動板４０に弾性変形した状態で接する。そして、これらパッキン８１，８２，８３と作動板４０の軸部４１とで、正面から見て換気口１５の形成領域を囲うので、換気口１５の閉じ状態を確保でき、高い気密性を得ることができる。なお、正面から見て左端部の換気口１５は、上記パッキン８１，８２，８３で囲われた領域から外れているが、この部位の換気口１５は舌片２５で塞がれて換気口としての機能はないので、気密性を低下させることはない。
【００２２】
上記換気装置１は、現場において、本体１０と作動板４０の正面から見て左側を切り落として、サッシ戸の横寸法（上框２の長さ）に合わせてある。その後で、キャップ２０を嵌め直すようにしている。なお、この切断に際しては、作動板４０を閉じ状態にしておく。これにより、作動板４０は、閉じ状態において正面から見て左端が本体１０の左端と一致している。
切断される側に位置する第３パッキン８３は、作動板４０に取り付けられておらずキャップ２０の舌片２５に取り付けられているため、上記切断によって取り除かれることはなく、キャップ２０をはめ込むだけの簡単な作業で換気装置１に装着することができ、この換気装着１の閉じ状態での気密性を確保することができる。
また、第３パッキン８３が本体１０の左端近傍に配置されているので、換気口１５の形成領域を本体１０の左端にまで延ばしても、上記気密性を確保でき、広い範囲にわたって換気口１５を形成することができる。
【００２３】
図５は、本発明の第２実施形態の換気装置を示す。図５において、第１実施形態に対応する構成部には同番号を付してその詳細な説明を省略する。この実施形態では、サッシ戸の寸法に合わせて、換気装置の左右のどちらでも切り落とすことができる。詳述すると、操作窓１４が前壁１１の中央に形成されている。換気口１５の形成領域は左右に別れており、前壁１１の両端にまで達している。キャップ３０にもキャップ２０と同様の機能を果たす舌片３５が形成されており、この舌片３５に垂直に延びる第２パッキン８２が取り付けられている。作動板４０には第１パッキン８１が取り付けられているだけである。
【００２４】
キャップ２０，３０に第２，第３のパッキン８２，８３が取り付けられているので、本体１０，作動板４０の両端部のどちらを切り落としても、気密性に支障が生じない。なお、この実施形態では、本体１０と作動板４０の左側を切断する場合には、作動板４０を閉じた状態にし、右側を切断する場合には、作動板４０を開き状態にする。これにより、作動板４０のスライドの際に、その端部が本体１０から突出することはなくなり、キャップ２０，３０は作動板４０に対するストッパ機能を発揮することができる。また、この実施形態では、換気口１５の形成領域を本体１０の両端にまで延ばすことができる。
【００２５】
本発明は上記実施形態に制約されず、種々の態様が可能である。例えば、作動板４０には、軸部４１の下方かつ近傍に、第４のパッキンを第１のパッキン８１と平行に延びるようにして取り付けてもよい。この第４パッキンは、閉じ状態において、換気口１５の上方において前壁１１に当接する。これにより、一層気密性を高めることができる。
第１実施形態の第１，第２パッキン８１，８２、第２実施形態の第１パッキン８１は、作動板４０ではなく、上記実施形態での作動板４０への取付位置と対峙する前壁１１の部位に取り付けてもよい。
換気装置の本体は上框と一体であってもよい。
【００２６】
【発明の効果】
以上説明したように請求項１の発明によれば、寸法調節のために換気装置の本体と作動板を切断しても、キャップに設けたパッキンにより、閉じ状態での気密性を確保することができる。
請求項３の発明によれば、本体と作動板の長手方向の両側のどちらを切断しても、キャップに設けたパッキンにより、閉じ状態での気密性を確保することができる。
しかも、請求項１，３の発明によれば、キャップ舌片が主壁に接するため、より一層気密性を高めることができる。
請求項２，４の発明によれば、換気口の形成領域を主壁の端まで広げても、キャップの舌片がこの主壁の端近傍の換気口を塞ぐため、気密性を確保することができる。
【図面の簡単な説明】
【図１】本発明の第１実施形態に係わる換気装置の開き状態で示すものであり、（Ａ）は背板の一部を省略して示す要部背面図、（Ｂ）は（Ａ）においてIーI線に沿う縦断面図である。
【図２】同換気装置の閉じ状態を示すものであり、（Ａ）は背板の一部を省略して示す要部背面図、（Ｂ）は（Ａ）においてIIーII線に沿う縦断面図である。
【図３】上記換気装置に用いられるカム部材の平面図である。
【図４】上記換気装置の全体を示す正面図である。
【図５】本発明の第２実施形態に係わる換気装置の全体を示す正面図である。
【符号の説明】
１０  本体
１１  前壁（主壁）
１４  操作窓
１５  換気口
１６  軸受
２０，３０  キャップ
２５，３５  舌片
４０  作動板
４１  軸部
４２  突起
６０  カム部材（カム機構）
７０  操作つまみ
８１，８２，８３  パッキン
【図１】
0003715075.tif 000002
【図２】
0003715075.tif 000003
【図３】
0003715075.tif 000004
【図４】
0003715075.tif 000005
【図５】
0003715075.tif 000006